(57)【要約】【課題】量産しやすく、確実に毛筆を収納できるようにしたすだれ状の筆巻きを提供するものである。【解決手段】巻回できるようにしたすだれ１０に、１個又は２個以上の筆を差し込むことができるようにした筆入れ袋２１を形成した布はく２０を取りつけ、布はく２０の筆入れ袋２１に筆を差し込んだすだれ１０を巻回して筆を保持できるようにした筆巻きであって、布はく２０を重ね合わせ又は２つ折りして、筆を収納する筆入れ袋２１が複数個形成できるように、筆入れ袋２１の各区画をミシン縦縫２１１したのち、重ね合わせ又は２つ折り布はく２０の上端及び下端をすだれ１０を形成する細棒１１のピッチ間隔に合わせてミシン横縫いすると共に、重ね合わせ又は２つ折り布はく２０の左右両端をすだれ１０を形成する細棒１１の編み列ね線Ｋに縫着するようにミシン縦縫いして、布はく２０をすだれ１０に固着したもの。【選択図】        図１
0003121402.tif 000002
【実用新案登録請求の範囲】
【請求項１】
巻回できるようにしたすだれに、１個又は２個以上の筆を差し込むことができるようにした筆入れ袋を形成した布はくを取りつけ、前記布はくの筆入れ袋に筆を差し込んだすだれを巻回して筆を保持できるようにした筆巻きであって、前記布はくを重ね合わせ又は２つ折りして、前記筆を収納する筆入れ袋が複数個形成できるように、ポケット部の各区画をミシン縦縫したのち、前記重ね合わせ又は２つ折り布はくの上端及び下端を前記すだれを形成する細棒のピッチ間隔に合わせてミシン横縫いすると共に、前記重ね合わせ又は２つ折り布はくの左右両端を前記すだれを形成する前記細棒の編み列ね線に縫合するようにミシン縦縫いして、前記布はくを前記すだれに固着したことを特徴とする筆巻き。
【考案の詳細な説明】
【技術分野】
【０００１】
本考案は、毛筆のすだれ巻きに関する。
【背景技術】
【０００２】
従来の毛筆のすだれ巻きは、すだれが通気性と巻回性に優れ、毛筆巻きには適しているが、すだれに板状ゴムを取りつけてその上に複数本の毛筆をおいて巻くもの（実開昭５７−５０２８）や、すだれにシートを取りつけ、シートを多数の筒状に形成してその間に毛筆をおいて巻くもの（実開昭６３−１７５９３１）、すだれにファスナベルトを取りつけて毛筆を止着するもの（実開昭６２−５０２３、実開昭５８−４４９２０）、すだれに毛筆の胴筒を挟着するＵ字状の仮着具を取りつけたもの（実開昭５３−１０００４４）があり、実開昭５７−５０２８１のもの、実開昭６３−１７５９３１のもの、実開昭６２−５０２３、実公昭５８−４４９２０のものは、すだれ巻きやファスナベルト巻きがゆるい場合、毛筆が脱落する欠点があり、実開昭５３−１０００４４のものは、製作が高価につく上に、Ｕ字状の仮着具を手作業で取りつけなければならない欠点があった。さらに、すだれに１枚の布はく等の素材を取りつけて、ポケット部の縫線を作成してポケット部に毛筆を収納するもの（実開昭６３−１７５９３１）が考えられていたが、その製作が面倒なため実用化に至らなかった。その理由は、ポケット部を設けた素材が一枚物のため、同公報の第１図に示すように、ポケット部２の各区画の入口を形成するため各区画毎に縫着して仕切らねばならないため、ミシンにより一定ピッチで連続的に縫着することができず、区画毎に手縫いせざるを得ない、素材の両端を縫着する縦縫線がすだれ編み線Ｋと縫合しない部分が空隙になる、などの欠点がある上に、量産化とコストダウンに困難性があったためと思われる。
そこで、本考案者は、布はくを２枚重ね又は２つ折りして毛筆が入れられるポケット部が確実に仕切られるように、ポケット区画の縦線をミシン縫いしたのち、布はくをすだれに置いて、布はくの上端及び下端は、すだれを形成する細棒のピッチ間隔に合わせて横縫いし、左右端は、すだれの編み列ね線の少なくとも２線に合わせ縫いできるようにして、ポケット区画とすだれへの取り付けを確実に形成できるようにすると共に、量産化できるようにし、本考案を完成した。
【特許文献１】実開昭５７−５０２８
【特許文献２】実開昭６３−１７５９３１
【特許文献３】実開昭６２−５０２３
【特許文献４】実開昭５８−４４９２０
【特許文献５】実開昭５３−１０００４４
【特許文献６】実開昭６１−１３９６２３
【考案の開示】
【考案が解決しようとする課題】
【０００３】
本考案は、量産しやすく、確実に毛筆を収納できるようにしたすだれ状の筆巻きを提供するものである。
【課題を解決するための手段】
【０００４】
本考案筆巻きは、上記課題を達成するため、図示するように、巻回できるようにしたすだれに、１個又は２個以上の筆を差し込むことができるようにした筆入れ袋を形成した布はくを取りつけ、前記布はくの筆入れ袋に筆を差し込んだすだれを巻回して筆を保持できるようにした筆巻きであって、前記布はくを重ね合わせ又は２つ折りして、前記筆を収納する筆入れ袋が複数個形成できるように、ポケット部の各区画をミシン縦縫したのち、前記重ね合わせ又は２つ折り布はくの上端及び下端を前記すだれを形成する細棒のピッチ間隔に合わせてミシン横縫いすると共に、前記重ね合わせ又は２つ折り布はくの左右両端を前記すだれを形成する前記細棒の編み列ね線に縫合するようにミシン縦縫いして、前記布はくを前記すだれに固着したものである。
本考案において、すだれは、竹製、合成樹脂製の細棒を横編み列ね糸で縫製したものである。
また、本考案に使用する筆入れを形成した布はくは、縁取りした帯状布はくを２枚重ね合わせ又は１枚を２つ折りして、筆入れの各区画毎にミシンで縦縫いしたのち、上端及び下端をすだれを形成する細棒のピッチ間隔に合わせて横方向にミシン縫いし、両端を細棒の横編み列ね線に縫合するように縦方向にミシン縫いしたものである。
【考案の効果】
【０００５】
本考案は、ミシン縫いで筆入れ袋を形成した布はくをすだれに取りつけるようにしたので、取りつけがミシン縫いで迅速容易にでき安価に量産するのに都合がよいほか、筆入れ袋が確実丈夫にでき耐久性がある。
【考案を実施するための最良の形態】
【０００６】
本考案は、すだれと、２枚合わせの筆入れを形成した布はくと、すだれの一端に取りつけられた舌片付きの止め紐とを備えている。
【実施例１】
【０００７】
本考案の実施例１が図１及び図２に示されている。
本考案実施例の筆巻きは、すだれ１０と布はく２０と止め紐３０とからなっている。
すだれ１０は、直径約２ミリメートル、長さ約３３センチメートルの竹製細棒を約３３センチメートルの巻き幅になるように形成したもので７本の横編み列ね糸線Ｋで縫製されている。
布はく２０は、幅約１５センチメートル程度の帯状第１布はく２０１と幅約１１センチメートルの第２布はく２０２とを各筆入れ袋２１が形成できるように縦線２１１を入れるようにミシン縫いし、筆入れ袋２１を形成した布はく２０を完成したのち、上記布はく２０の上端及び下端をすだれ１０を形成する細棒１１のピッチ間隔に合わせて横方向にミシン縫いし、左右両端を細棒１１の横編み列ね線Ｋ（５）、Ｋ（６）、Ｋ（７）に縫合するように縦方向にミシン縫いする。
【産業上の利用可能性】
【０００８】
本考案品は、量産容易で安価につく上に筆入れ保管が確実にできる。
【図面の簡単な説明】
【０００９】
【図１】本考案の実施例を示す平面図である。
【図２】図１に使用する布はくの平面図である。
【符号の説明】
【００１０】
１０          すだれ
１１          細棒
２０          布はく
２０１        第１布はく
２０２        第２布はく
２１          筆入れ袋
２１１        縦線
３０          止め紐
Ｋ            横編み列ね糸
【図１】
0003121402.tif 000003
【図２】
0003121402.tif 000004